(57)【要約】【課題】隣接する遊技機の間に配置され、板状の仕切部を引出可能に収納するための間柱において、間柱全体を小さくして、運搬時や設置作業時の作業性を向上する。【解決手段】間柱は、遊技機の間に配置される本体部と、本体部に収納され、本体部の前面に形成された開口から引き出し可能に取り付けられた板状の仕切部とを備える。仕切部は、本体部に固定された第１レールを介して開口から引き出し可能な第１仕切板と、第１仕切板の板面に重なるように本体部に収納され、第１仕切板に固定された第２レールを介して開口から第１仕切板よりも更に前方側に引き出し可能な第２仕切板と、第２仕切板の第１仕切板とは反対側の板面に重なるように本体部に収納され、第２仕切板に固定された第３レールを介して開口から前記第２仕切板よりも更に前方側に引き出し可能な第３仕切板と、を備える。【選択図】図３
2020195882.tif 000002
【特許請求の範囲】
【請求項１】
隣接する遊技機の間に設置される間柱であって、
前記遊技機の間に配置される本体部と、
前記本体部に収納され、前記本体部の前面に形成された開口から引き出し可能に取り付けられた板状の仕切部と、
を備え、
前記仕切部は、前記本体部に固定された第１レールを介して前記開口から引き出し可能な第１仕切板と、
前記第１仕切板の板面に重なるように前記本体部に収納され、前記第１仕切板に固定された第２レールを介して前記開口から前記第１仕切板よりも更に前方側に引き出し可能な第２仕切板と、
前記第２仕切板の前記第１仕切板とは反対側の板面に重なるように前記本体部に収納され、前記第２仕切板に固定された第３レールを介して前記開口から前記第２仕切板よりも更に前方側に引き出し可能な第３仕切板と、
を備えている、間柱。
【請求項２】
前記本体部は、前記仕切部の外周を上方及び下方から囲む枠体を備え、
前記第１レールは、前記上方及び下方の枠体に前記第１仕切板と対向するよう設けられており、
前記第２レールは、前記第１仕切板の前記第１レールとは反対側の板面の上方及び下方にそれぞれ設けられており、
前記第３レールは、前記第２仕切板の前記第２レールとは反対側の板面の上方及び下方にそれぞれ設けられており、
前記第１仕切板、前記第２仕切板及び前記第３仕切板には、それぞれ、前記第１レール、前記第２レール及び前記第３レールに摺動可能に嵌合される嵌合部が設けられている、請求項１に記載の間柱。
【請求項３】
前記第１レール、前記第２レール及び前記第３レールは、前記本体部の前記開口の上方及び下方で上下方向に並ぶように、前記上方及び下方の前記第１レール同士の間隔、前記上方及び下方の前記第２レール同士の間隔、及び、前記上方及び下方の前記第３レール同士の間隔は、順に短くなっている、請求項２に記載の間柱。
【請求項４】
前記第１仕切板には、当該第１仕切板の上方端部及び下方端部に設けられた固定部材を介して前記嵌合部が設けられており、
前記第２仕切板及び前記第３仕切板には、それぞれ、各仕切板の板面の上方端部及び下方端部に直接前記嵌合部が設けられている、請求項３に記載の間柱。
【請求項５】
前記第１仕切板、前記第２仕切板及び前記第３仕切板には、それぞれ、前記嵌合部の前記開口からの引き出し方向先端部分を覆う保護カバーが設けられている、請求項２〜請求項４の何れか１項に記載の間柱。
【請求項６】
前記第１仕切板において、前記本体部の前面とは反対側である後方端部には、前記仕切部が前記本体部の前記開口から引き出されたときに、前記開口を閉じる板状の目隠し部材が設けられている、請求項１〜請求項５の何れか１項に記載の間柱。
【発明の詳細な説明】
【技術分野】
【０００１】
本開示は、隣接する遊技機の間に設置される間柱に関する。
【背景技術】
【０００２】
従来、隣接する遊技機の間に配置される間柱には、板状の仕切部が遊技機の手前に引き出し可能に収納され、必要に応じて仕切部を引き出すことで、遊技者間のスペースを仕切れるように構成されたものが知られている（例えば、特許文献１参照）。
【先行技術文献】
【特許文献】
【０００３】
【特許文献１】特開２０１２−１１１４０号公報
【発明の概要】
【発明が解決しようとする課題】
【０００４】
この種の間柱においては、仕切部が、間柱の内部に重なるように収納される２枚の仕切板にて構成されており、上記特許文献１に記載のものでは、一方の仕切板が他方の仕切板に対し支持軸を中心に回動自在に装着されている。
【０００５】
このため、上記従来の間柱によれば、仕切部全体を間柱の前面から引き出した後、一方の仕切板を他方の仕切板から更に引き出すことができる。
しかしながら、仕切部を２枚の仕切板にて構成した場合、間柱の前面からの仕切部の引き出し量を増やすには、２枚の仕切板の引き出し方向の長さを長くする必要があり、間柱全体が大きくなって、その運搬や設置に手間がかかるという問題があった。
【０００６】
本開示の一局面は、隣接する遊技機の間に配置され、板状の仕切部を引出可能に収納するための間柱において、間柱全体を小さくして、運搬時や設置作業時の作業性を向上することを目的とする。
【課題を解決するための手段】
【０００７】
本開示の一局面の間柱は、遊技機の間に配置される本体部と、本体部に収納され、本体部の前面に形成された開口から引き出し可能に取り付けられた板状の仕切部と、を備える。
【０００８】
仕切部は、第１仕切板と、第２仕切板と、第３仕切板とを備え、第１仕切板は、本体部に固定された第１レールを介して、開口から引き出し可能に構成されている。
また、第２仕切板は、第１仕切板の板面に重なるように本体部に収納され、第１仕切板に固定された第２レールを介して、開口から第１仕切板よりも更に前方側に引き出し可能に構成されている。
【０００９】
また、第３仕切板は、第２仕切板の第１仕切板とは反対側の板面に重なるように本体部に収納され、第２仕切板に固定された第３レールを介して、開口から第２仕切板よりも更に前方側に引き出し可能に構成されている。
【００１０】
このため、本開示の間柱においては、本体部の開口から、第３仕切板、第２仕切板、第１仕切板の順、若しくは、第１仕切板、第２仕切板、第３仕切板の順で、各仕切板を順に引き出すことで、本体部の開口部から仕切部全体を引き出すことができる。
【００１１】
そして、仕切部全体を引き出した際の開口部からの突出長さは、３枚の仕切板の引き出し方向（換言すれば前後方向）の長さで決まる。このため、突出長さが一定であれば、本体部に仕切部を収納した状態での間柱の前後方向の長さを従来のものよりも短くすることができる。よって、本開示の間柱によれば、従来の間柱に比べて、運搬時や設置作業時の作業性を高めることができる。
【００１２】
なお、本開示の間柱においては、第３仕切板に対しレールを介して仕切板を設け、更にその仕切板にレールを介して仕切板を設ける、というように、仕切板の数を更に増やすこともできる。よって、本開示の間柱によれば、仕切板の数を４枚、５枚…と更に増やすことで、間柱の前後方向の長さを更に短くして、間柱を更に小型化することもできる。
【００１３】
ここで、本体部は、仕切部の外周を上方及び下方から囲む枠体を備え、第１レールは、上方及び下方の枠体に第１仕切板と対向するよう設けられていてもよい。この場合、第２レールは、第１仕切板の第１レールとは反対側の板面の上方及び下方にそれぞれ設けられ、第３レールは、第２仕切板の第２レールとは反対側の板面の上方及び下方にそれぞれ設けられていてもよい。
【００１４】
このようにすれば、第１仕切板、第２仕切板及び第３仕切板は、それぞれ、第１レール、第２レール及び第３レールに摺動可能に嵌合される嵌合部を設けることで、本体部から容易に引き出すことができるようになる。
【００１５】
また、第１仕切板、第２仕切板、及び第３仕切板は、それぞれ、上下一対の第１レール、第２レール、及び第３レールを介して、本体部にしっかりと取り付けられることになるので、仕切板が本体部から抜けてしまうのを防止することもできる。
【００１６】
次に、第１レール、第２レール及び第３レールは、本体部の開口の上方及び下方で上下方向に並ぶように、上方及び下方の第１レール同士の間隔、上方及び下方の第２レール同士の間隔、及び、上方及び下方の第３レール同士の間隔が順に短くなるようにしてもよい。
【００１７】
また、この場合、第１仕切板には、第１仕切板の上方端部及び下方端部に設けられた固定部材を介して嵌合部を設け、第２仕切板及び第３仕切板には、それぞれ、各仕切板の板面の上方端部及び下方端部に直接嵌合部を設けるようにしてもよい。
【００１８】
このようにすれば、固定部材を含む第１仕切板の上下方向の長さ、第２仕切板の上下方向の長さ、及び、第３仕切板の上下方向の長さを、順に短くすることができ、仕切部全体を小さくして、間柱の小型化を図ることができる。
【００１９】
また、嵌合部を介して第１レールに装着される第１仕切板の上方端部及び下方端部には、仕切部を引き出した際に、仕切部全体の加重が加わることになるが、第１仕切板の上方端部及び下方端部には、固定部材を介して嵌合部が設けられる。
【００２０】
このため、第１仕切板に対しては、第２仕切板及び第３仕切板に比べて、嵌合部をより強固に固定することができるようになり、仕切部を引き出した際に加わる荷重によって第１仕切板の嵌合部が変形したり第１レールから外れたりするのを抑制できる。
【００２１】
また、第１仕切板、第２仕切板及び第３仕切板には、それぞれ、嵌合部の開口からの引き出し方向先端部分を覆う保護カバーが設けられていてもよい。このようにすれば、嵌合部の先端だけでなく、第１仕切板、第２仕切板及び第３仕切板の開口からの引き出し方向先端部分で上下の角部も保護カバーで覆われることになり、この角部全体を保護すること
ができる。
【００２２】
また、仕切部を本体部に収納した状態では、本体部の開口の上方及び下方で、保護カバーが上下方向に並ぶことになるので、見栄えがよくなり、しかも、保護カバーで開口の上方及び下方の隙間を覆うことができるので、遊技球等の異物が入り込むのを抑制できる。
【００２３】
一方、本体部から仕切部を引き出した場合、第２仕切板及び第３仕切板は、本体部の前面よりも外側に配置されることから、本体部の前面の開口が開放されて、その開口から遊技球等の異物が入り込むことがある。
【００２４】
そこで、第１仕切板において、本体部の前面とは反対側である後方端部には、仕切部が本体部の開口から引き出されたときに開口を閉じる板状の目隠し部材が設けられていてもよい。
【００２５】
そして、このようにすれば、本体部の開口から仕切部が引き出された際に、目隠し部材にて開口を閉じて、本体部内に遊技球等の異物が侵入するのを抑制できる。
【図面の簡単な説明】
【００２６】
【図１】実施形態の間柱の斜視図であり、図１Ａは仕切部の収容状態を表し、図１Ｂは仕切部の引出状態を表す。
【図２】実施形態の間柱の側面図であり、図２Ａは仕切部の収容状態を表し、図２Ｂは仕切部の引出状態を表す。
【図３】実施形態の間柱の構成を表す分解斜視図である。
【図４】実施形態の本体部を斜め後方から見た状態を表す斜視図であり、図４Ａは本体部全体を表し、図４Ｂは図４Ａに示すＡ領域を拡大した状態を表す。
【図５】実施形態の本体部を斜め前方から見た状態を表す斜視図であり、図５Ａは本体部全体を表し、図５Ｂは図５Ａに示すＢ領域を拡大した状態を表す。
【発明を実施するための形態】
【００２７】
以下に本発明の実施形態を図面と共に説明する。
間柱１は、隣接する遊技機の間に設置されるものであり、図１、図２に示すように、本体部１０、仕切部２０、前面パネル３０などを備えている。
【００２８】
本体部１０は、上下方向に延びる収容空間を有しており、前方の開口から板状の仕切部２０を引き出し可能に収容している。
また、本体部１０には、各種案内用のシート状部材を収納するためのシートホルダ４１、飲み物のカップやボトルを載置するための載置ユニットを引き出し可能に収納するドリンクホルダ４３、電子機器を接続するための接続コネクタ４５なども収容されている。なお、シートホルダ４１及びドリンクホルダ４３は、本体部１０の収納空間に、仕切部２０の板面に対し平行になるように収納される。
【００２９】
仕切部２０は、本体部１０に収容され、本体部１０の前面に形成された開口から引き出し可能に取り付けられた板状の部材であり、本実施形態では、３枚の部材でもって段階的に引出および収容できるように構成されている。
【００３０】
本実施形態における仕切部２０は、第１仕切板２１、第２仕切板２２、第３仕切板２３の３つが重ねて配置されている。図３に示すように、第１仕切板２１は、本体部１０に固定された第１レール５１を介して内外方向にスライドし、第２仕切板２２は、第１仕切板２１に固定された第２レール５２を介して内外方向にスライドし、第３仕切板２３は、第２仕切板２２に固定された第３レール５３を介して内外方向にスライドする。
【００３１】
この結果、仕切部２０が本体部１０から引き出されたときには、第１仕切板２１が本体部１０に最も近く、第３仕切板２３が本体部１０から最も遠くなるよう、第３仕切板２３から順に段階的に引き出されることになる。また、仕切部２０の本体部１０への収納時には、引き出し時とは逆の順序で各仕切板２１〜２３が順に収納されることになる。
【００３２】
なお、仕切部２０の収納状態において、第１仕切板２１と第２仕切板２２は、板面全域が本体部１０内に収納されて、外側端縁が本体部１０の前面と揃うように構成され、第３仕切板２３は、板面の一部領域が本体部１０の前面から外部に突出するように構成されている。そして、第３仕切板２３の突出部分には取っ手２５が設けられており、遊技者等はその取っ手２５を持って、仕切部２０の引出および収容操作を行うことができる。
【００３３】
また、図３に示すように、本体部１０は、収納された仕切部２０の外周を、上方、下方、及び、前面とは反対側の後方からそれぞれ囲む枠体１１，１２，１３と、これら枠体同士を連結する板状の側壁部１４とを備える。なお、側壁部１４には、本体部１０の軽量化のために部分的に穴が空けられている。
【００３４】
これら枠体１１，１２，１３及び側壁部１４は、例えば、金属板をプレス成形することにより、一体的に構成されており、第１レール５１は、上下の枠体１１、１２にそれぞれ設けらている。
【００３５】
なお、上下の枠体１１、１２において、側壁部１４とは反対側の端縁部分は、側壁部１４と対向するように屈曲されており、上下一対の第１レール５１は、その屈曲された端縁部分にそれぞれ固定（ねじ止め）されている。
【００３６】
次に、第１仕切板２１には、本体部１０に固定された上下一対の第１レール５１にそれぞれ摺動可能に嵌合される上下一対の嵌合部５１Ａが固定されている。
この嵌合部５１Ａの固定は、第１仕切板２１の上下端縁部分に固定（ねじ止め）された固定部材５５を介して行われ、嵌合部５１Ａは、この固定部材５５において第１仕切板２１の上下端縁よりも外側に固定（ねじ止め）されている。これは、上下の嵌合部５１Ａ同士の間隔を、本体部１０に固定された第１レール５１同士の間隔に対応させるためである。
【００３７】
また、上下の嵌合部５１Ａは、第１レール５１と略同じ長さの長尺形状であり、上下の固定部材５５には、それぞれ、本体部１０の上下の枠体１１、１２に固定された上下の第１レール５１に向くように設けられている。
【００３８】
また、第１レール５１は、嵌合部５１Ａを摺動自在に嵌合するための溝が、第１仕切板２１側を向くように、本体部１０の上下の枠体１１、１２に固定されている。
このため、第１レール５１と嵌合部５２Ａは、本体部１０の上下の枠体１１、１２と、第１仕切板２１の上下に設けられた固定部材５５との間に配置されることになる。
【００３９】
また更に、上下の嵌合部５１Ａの引き出し側先端部分には、嵌合部５１Ａ及び固定部材５５の先端を覆うことで第１仕切板２１の上下の角部を保護し、更に、第１仕切板２１が収納位置にあるときには第１レール５１の先端部分を覆う、合成樹脂製の保護カバー５６が設けられている。
【００４０】
次に、第２レール５２は、第１仕切板２１の第１レール５１とは反対側の板面の上端及び下端にそれぞれ設けられており、第２仕切板２２の第１仕切板２１との対向面には、第２レール５２に摺動可能に嵌合される上下一対の嵌合部５２Ａが固定されている。
【００４１】
また、第２仕切板２２において、嵌合部５２Ａとは反対側の板面の上方及び下方には、それぞれ、板面端部の嵌合部５２Ａよりも内側に位置するように、第３レール５３が固定されている。
【００４２】
そして、第３仕切板２３の第２仕切板２２との対向面には、第３レール５３に摺動可能に嵌合される上下一対の嵌合部５３Ａが固定されている。第３仕切板２３は、第２仕切板２２よりも上下方向の長さが短くなっており、嵌合部５３Ａは、第３仕切板２３の板面の上下端部に固定されている。
【００４３】
つまり、本実施形態では、第１レール５１同士の間隔、第２レール５２同士の間隔、及び、第３レール５３同士の間隔は、第１レール５１同士の間隔が最も長く、第３レール５３同士の間隔が最も短くなっている。また、これに対応して、固定部材５５を含む第１仕切板２１の上下方向の長さが最も長く、第３仕切板２３の上下方向の長さが最も短くなっている。
【００４４】
この結果、各仕切板２１〜２３の上下方向の長さを一致させて、スライド用のレールを設けた場合に比べて、仕切部２０全体の大きさを小さくすることができる。
また、嵌合部５２Ａ、５３Ａは、嵌合部５１Ａと同様、対応する第２レール５２、第３レール５３と略同じ長さを有する長尺形状になっている。
【００４５】
そして、上下の嵌合部５２Ａ、５３Ａの引き出し側先端部分には、それぞれ、嵌合部５２Ａ、５３Ａの先端を覆うことで、第２仕切板２２、第３仕切板２３の上下の角部を保護し、第２仕切板２２、第３仕切板２３が収納位置にあるときには第２レール５２、第３レール５３の先端部分を覆う、合成樹脂製の保護カバー５７、５８が設けられている。
【００４６】
このため、仕切部２０を本体部１０に収納した際には、図１Ａに示すように、本体部１０の前面側で、仕切部２０の上端側及び下端側にて、保護カバー５６、５７、５８が外側から順に配置されることになる。
【００４７】
この結果、仕切部２０が収納状態にあるとき、仕切部２０が引き出される本体部１０の開口が保護カバー５６、５７、５８で覆われ、本体部１０の開口部分も保護されることになる。
【００４８】
次に、前面パネル３０は、本体部１０を構成する上下の枠体１１、１２の前方側に、本体部１０の前面を塞ぐように取り付けられる。
前面パネル３０には、仕切部２０、シートホルダ４１、ドリンクホルダ４３、接続コネクタ４５等の、本体部１０への収容物に対応した取付孔（換言すれば開口）が形成されている。
【００４９】
また、前面パネル３０の上下端部には、隣接する遊技機の間に固定するための固定金具３２（図４参照）にねじ止めするための固定孔（長孔）も設けられている。
また、仕切部２０を本体部１０から引き出した際に本体部１０側に配置される第１仕切板２１の後方端部には、板状の目隠し部材２７が設けられている。
【００５０】
この目隠し部材２７は、第２仕切板２２及び第３仕切板２３が本体部１０の外に引き出されることによって開放される前面パネル３０の開口を閉じて、その開口から本体部１０内に遊技球等の異物が入り込むのを防止するためのものである。
【００５１】
また、このように目隠し部材２７が設けられていても、本体部１０内には、前面パネル
３０に設けられた取付孔にて形成される開口から、遊技球等の異物が入り込むことがある。
【００５２】
そして、本体部１０内に異物が入り込むと、仕切部２０を本体部１０に収納する際の邪魔になり、仕切部を本体部に上手く収納できないことがあるため、本体部１０の後方下端部には、本体部１０に入り込んだ異物を排出するための排出口１５が設けられている。
【００５３】
図４に示すように、この排出口１５は、本体部１０を構成する下方の枠体１２と後方の枠体１３とが連結される角部で、第１レール５１が固定される側とは反対側（つまり、側壁部１４側）に設けられている。
【００５４】
この結果、本実施形態の間柱１においては、本体部１０内に遊技球等の異物が入り込んだとしても、その異物を排出口１５から排出させて、遊技機の後方に配置される遊技球の搬送路に導くことができるようになる。
【００５５】
また、排出口１５は、後方の枠体１３の下方端部において、側壁部１４側に設けられることから、排出口１５を設けることによって、本体部１０の強度が低下するのを抑制できる。
【００５６】
また、仕切部２０は、下方の枠体１２に設けられた第１レール５１を介して、本体部１０内に収納されることから、異物は、仕切部２０の収納時の移動に伴い、第１レール５１に沿って本体部１０の後方へ移動し、排出口１５からより確実に排出されることになる。
【００５７】
また、図４に示すように、本体部１０の側壁部１４には、仕切部２０が本体部１０から引き出された状態で、目隠し部材２７に係合して、仕切部２０の収納方向への移動を阻止する収納抵抗部６０が上下方向に複数（本実施形態では２個）設けられている。この収納抵抗部６０は、例えば、板ばねにて構成されており、仕切部２０を本体部１０から引き出した状態で、仕切部２０が遊技機の振動等で本体部１０側に移動するのを防止できる。
【００５８】
一方、図５に示すように、本体部１０の後方の枠体１３には、仕切部２０が本体部１０内に収納された状態で、目隠し部材２７が当接されて、仕切部２０が引き出し方向に移動するのを阻止する引出抵抗部６２が設けられている。
【００５９】
この引出抵抗部６２は、例えば、磁石にて構成されており、磁力にて目隠し部材２７を吸引することで、仕切部２０の引き出し方向への変位に対する抵抗を発生させる。なお、仕切部２０が本体部１０内に収納されているとき、収納抵抗部６０が第３仕切板２３に設けた係合部材に係合するように構成すれば、収納抵抗部６０を、引出抵抗部としても機能させることができる。
【００６０】
次に、シートホルダ４１及びドリンクホルダ４３は、接続コネクタ４５と同様に、前面パネル３０の取付孔に固定されるが、各ホルダ４１、４３は、接続コネクタ４５に比べて奥行き方向の長さが長い。
【００６１】
このため、接続コネクタ４５のように単に前面パネル３０に固定しただけでは、本体部１０内で、各ホルダ４１、４３が仕切部２０の収納空間に侵入し、仕切部２０の引き出し時や収納時に邪魔になることが考えられる。
【００６２】
そこで、本実施形態では、本体部１０の後方の枠体１３に、シートホルダ４１及びドリンクホルダ４３の後方端部を位置決めして、これら各ホルダ４１、４３が仕切部２０の収納空間内に変位するのを阻止する位置決め部１７が設けられている。
【００６３】
図５に示すように、この位置決め部１７は、枠体１３の上下方向の２箇所に設けられている。この２つの位置決め部１７は、枠体１３の側壁部１４とは反対側を屈曲させることで、これら各ホルダ４１、４３の後方端面、及び、側壁部１４との対向面に当接される断面Ｌ字上の板体として構成されている。
【００６４】
そして、位置決め部１７の枠体１３とは反対側の端縁部分は、仕切部２０の収納空間（換言すれば、側壁部１４）から離れる方向に曲げられ、湾曲又は屈曲している。
このため、位置決め部１７は、各ホルダ４１、４３の後方端面及び側壁部１４との対向面に当接されて、各ホルダ４１が仕切部２０の収納空間側及び後方側に変位するのを防止できるだけでなく、収納時に仕切部２０を収納空間へ案内することができる。
【００６５】
以上説明したように、本実施形態の間柱１においては、仕切部２０が、第１仕切板２１、第２仕切板２２及び第３仕切板２３の３つの仕切板にて構成されている。そして、各仕切板２１、２２、２３は、本体部１０の上下の枠体１１，１２、第１仕切板２１の上方端部及び下方端部、及び、第２仕切板２２の上方端部及び下方端部にそれぞれ設けられた第１レール５１、第２レール５２、第３レール５３を介して、本体部１０の開口から順に引き出すことができる。
【００６６】
このため、本開示の間柱１においては、仕切部２０全体を引き出した際の前面パネル３０の取付孔（開口）から突出長さが同じであれば、仕切部２０を本体部１０に収納した状態での間柱１の前後方向の長さを従来のものよりも短くすることができる。よって、本開示の間柱１によれば、従来のものに比べて、運搬時や設置作業時の作業性を高めることができる。
【００６７】
また、第１レール５１、第２レール５２及び第３レール５３は、本体部１０の内部で上下方向に並ぶように、対となる第１レール５１同士の間隔、第２レール５２同士の間隔、及び、第３レール５３同士の間隔が、順に短くなるように配置されている。
【００６８】
そして、各レール５１、５２、５３に摺動自在に嵌合される嵌合部５１Ａ、５２Ａ、５３Ａは、第１仕切板２１、第２仕切板２２、及び、第３仕切板２３の上方端部及び下方端部に、固定部材５５を介して、或いは直接固定されている。
【００６９】
このため、第１仕切板２１の固定部材５５を含む上下方向の長さ、第２仕切板２２の上下方向の長さ、及び、第３仕切板２３の上下方向の長さを、順に短くすることができ、仕切部全体を小さくして、間柱の小型化を図ることができる。
【００７０】
また、第１仕切板２１の嵌合部５１Ａには、仕切部２０を本体部１０から引き出した際に、仕切部２０全体の加重が加わることになるが、第１仕切板２１には、固定部材５５を介して嵌合部５１Ａが設けられる。
【００７１】
このため、第１仕切板２１に対しては、第２仕切板２２及び第３仕切板２３に比べて、嵌合部５１Ａをより強固に固定することができるようになり、仕切部２０を引き出した際に加わる荷重によって嵌合部５１Ａが変形したり第１レール５１から外れたりするのを抑制できる。
【００７２】
また、第１仕切板２１、第２仕切板２２及び第３仕切板２３には、それぞれ、嵌合部５１Ａ、５２Ａ、５３Ａの引き出し方向先端部分を覆う保護カバー５６、５７、５８が設けられている。
【００７３】
このため、これら各保護カバー５６、５７、５８によって、嵌合部５１Ａ、５２Ａ、５３Ａの先端及び各仕切板２１、２２、２３の上下の角部を覆い、これら各部を保護することができる。
【００７４】
また、仕切部２０を本体部１０に収納した状態では、本体部１０の取付孔（開口）の上方及び下方で、保護カバー５６、５７、５８が上下方向に並ぶことになるので、見栄えがよくなる。また、保護カバー５６、５７、５８で取付孔（開口）の上方及び下方の隙間を覆うことができるので、その部分から遊技球等の異物が入り込むのを抑制できる。
【００７５】
また、第１仕切板２１において、本体部１０の後方端部には、仕切部２０が本体部１０から引き出されたときに、取付孔（開口）を閉じる板状の目隠し部材２７が設けられていることから、この目隠し部材２７によっても、本体部１０内に遊技球等の異物が侵入するのを抑制できる。
【００７６】
以上、本開示の一実施形態について説明したが、本開示は上記実施形態に限定されるものではなく、種々の形態をとり得ることはいうまでもない。
例えば、上記実施形態では、仕切部２０は、３枚の仕切板２１，２２，２３にて構成されるものとして説明したが、仕切部２０は、４枚以上の仕切板にて構成されていてもよい。また、仕切部２０を引き出し可能に支持するためのレール機構についても、上記実施形態とは異なるレール機構を利用してもよく、適宜変更することができる。
【００７７】
また、間柱１には、仕切部２０に加えて、シートホルダ４１、ドリンクホルダ４３、接続コネクタ４５等の各種機能部品が設けられるものとして説明したが、これらの機能部品が設けられない間柱であってもよい。
【００７８】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００７９】
１…間柱、１０…本体部、１１，１２，１３…枠体、１４…側壁部、１５…排出口、１７…位置決め部、２０…仕切部、２１…第１仕切板、２２…第２仕切板、２３…第３仕切板、２５…取っ手、２７…目隠し部材、３０…前面パネル、４１…シートホルダ、４３…ドリンクホルダ、４５…接続コネクタ、５１…第１レール、５１Ａ…嵌合部、５２…第２レール、５２Ａ…嵌合部、５３…第３レール、５３Ａ…嵌合部、５５…固定部材、５６，５７，５８…保護カバー、６０…収納抵抗部、６２…引出抵抗部。
【図１】
2020195882.tif 000003
【図２】
2020195882.tif 000004
【図３】
2020195882.tif 000005
【図４】
2020195882.tif 000006
【図５】
2020195882.tif 000007
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
隣接する遊技機の間に設置される間柱であって、
前記遊技機の間に配置される本体部と、
前記本体部に収納され、前記本体部の前面に形成された開口から引き出し可能に取り付けられた板状の仕切部と、
前記仕切部が前記本体部に収納されているとき、前記仕切部の引き出し方向への変位に対する抵抗を発生させる引出抵抗部と、
を備えている、間柱。
【請求項２】
前記引出抵抗部として、
前記本体部における前記開口とは反対側の後方に設けられ、前記仕切部を磁力にて吸引する磁石、
を備えている、請求項１に記載の間柱。
【請求項３】
前記引出抵抗部として、
前記本体部において前記開口が形成される前面よりも後方の側壁部に設けられ、前記仕切部が前記本体部に収納されているとき、及び、前記仕切部が前記本体部から引き出されているときに、前記仕切部に係合して、前記仕切部の引き出し方向若しくは収納方向への変位に対する抵抗を発生させる板ばね、
を備えている、請求項１又は請求項２に記載の間柱。
【請求項４】
前記仕切部は、
前記本体部に固定された第１レールを介して前記開口から引き出し可能な第１仕切板と、
前記第１仕切板の板面に重なるように前記本体部に収納され、前記第１仕切板に固定された第２レールを介して前記開口から前記第１仕切板よりも更に前方側に引き出し可能な第２仕切板と、
前記第２仕切板の前記第１仕切板とは反対側の板面に重なるように前記本体部に収納され、前記第２仕切板に固定された第３レールを介して前記開口から前記第２仕切板よりも
更に前方側に引き出し可能な第３仕切板と、
を備えている、請求項１〜請求項３の何れか１項に記載の間柱。
【請求項５】
前記本体部は、前記仕切部の外周を上方及び下方から囲む枠体を備え、
前記第１レールは、前記上方及び下方の枠体に前記第１仕切板と対向するよう設けられており、
前記第１仕切板には、前記第１レールに摺動可能に嵌合される嵌合部が、当該第１仕切板の上方端部及び下方端部に設けられた固定部材を介して、当該第１仕切板の上下端縁よりも外側に位置するように設けられている、請求項４に記載の間柱。
【請求項６】
前記第２レールは、前記第１仕切板の前記第１レールとは反対側の板面の上方及び下方にそれぞれ設けられており、
前記第３レールは、前記第２仕切板の前記第２レールとは反対側の板面の上方及び下方にそれぞれ設けられており、
前記第２仕切板の板面の上方端部及び下方端部には、前記第１仕切板の上方及び下方に設けられた第２レールに摺動可能に嵌合される嵌合部が直接設けられており、
前記第３仕切板の板面の上方端部及び下方端部には、前記第２仕切板の上方及び下方に設けられた第３レールに摺動可能に嵌合される嵌合部が直接設けられており、
前記第１レール、前記第２レール及び前記第３レールは、前記本体部の前記開口の上方及び下方で上下方向に並ぶように、前記上方及び下方の前記第１レール同士の間隔、前記上方及び下方の前記第２レール同士の間隔、及び、前記上方及び下方の前記第３レール同士の間隔が、順に短くなっている、請求項５に記載の間柱。
【手続補正２】
【補正対象書類名】明細書
【補正対象項目名】０００５
【補正方法】変更
【補正の内容】
【０００５】
このため、上記従来の間柱によれば、仕切部全体を間柱の前面から引き出した後、一方の仕切板を他方の仕切板から更に引き出すことができる。
ところで、仕切部は、間柱内に収納されて、遊技者等が引き出すことができればよいことから、間柱内には、引出可能に収納されるだけである。このため、仕切部は、間柱内に収納されているとき、自重、遊技機の振動等によって、引出方向に移動することがある。
【手続補正３】
【補正対象書類名】明細書
【補正対象項目名】０００６
【補正方法】変更
【補正の内容】
【０００６】
本開示の一局面は、隣接する遊技機の間に配置され、板状の仕切部を引出可能に収納するための間柱において、仕切部が間柱内に収納されているとき、自重、遊技機の振動等で引出方向に移動するのを抑制できるようにすることを目的とする。
【手続補正４】
【補正対象書類名】明細書
【補正対象項目名】０００７
【補正方法】変更
【補正の内容】
【０００７】
本開示の一局面の間柱は、遊技機の間に配置される本体部と、本体部に収納され、本体部の前面に形成された開口から引き出し可能に取り付けられた板状の仕切部と、引出抵抗
部と、を備える。
引出抵抗部は、仕切部が本体部に収納されているときに、仕切部の引き出し方向への変位に対する抵抗を発生させるよう構成されている。
このため、本開示の間柱によれば、仕切部が本体部に収納されている状態で、遊技者等が仕切部を引き出す操作を行っていないにも関わらず、自重、遊技機の振動等によって仕切部が引き出し方向に移動するのを抑制できる。
ここで、引出抵抗部としては、本体部における開口とは反対側の後方に設けられ、仕切部を磁力にて吸引する磁石にて構成されていてもよい。
また、引出抵抗部としては、本体部において仕切部が収納される側壁部に設けられ、仕切部が本体部に収納されているとき、及び、仕切部が本体部から引き出されているときに、仕切部に係合して、仕切部の引き出し方向若しくは収納方向への変位に対する抵抗を発生させる板ばねにて構成されていてもよい。
この場合、板ばねは、仕切部が本体部から引き出されているときに、仕切部が収納方向へ移動するのを阻止することから、収納抵抗部としても機能することになる。
【手続補正５】
【補正対象書類名】明細書
【補正対象項目名】０００８
【補正方法】変更
【補正の内容】
【０００８】
一方、仕切部は、第１仕切板と、第２仕切板と、第３仕切板とを備え、第１仕切板は、本体部に固定された第１レールを介して、開口から引き出し可能に構成されてもよい。
そして、この場合、第２仕切板は、第１仕切板の板面に重なるように本体部に収納され、第１仕切板に固定された第２レールを介して、開口から第１仕切板よりも更に前方側に引き出し可能に構成される。
【手続補正６】
【補正対象書類名】明細書
【補正対象項目名】０００９
【補正方法】変更
【補正の内容】
【０００９】
また、第３仕切板は、第２仕切板の第１仕切板とは反対側の板面に重なるように本体部に収納され、第２仕切板に固定された第３レールを介して、開口から第２仕切板よりも更に前方側に引き出し可能に構成される。
【手続補正７】
【補正対象書類名】明細書
【補正対象項目名】００１０
【補正方法】変更
【補正の内容】
【００１０】
このように仕切部を構成すれば、本体部の開口から、第３仕切板、第２仕切板、第１仕切板の順、若しくは、第１仕切板、第２仕切板、第３仕切板の順で、各仕切板を順に引き出すことで、本体部の開口部から仕切部全体を引き出すことができる。
【手続補正８】
【補正対象書類名】明細書
【補正対象項目名】００１７
【補正方法】変更
【補正の内容】
【００１７】
また、この場合、第１仕切板には、第１仕切板の上方端部及び下方端部に設けられた固
定部材を介して、嵌合部を、第１仕切板の上下端縁よりも外側に位置するように設けるようにしてもよい。また、第２仕切板及び第３仕切板には、それぞれ、各仕切板の板面の上方端部及び下方端部に直接嵌合部を設けるようにしてもよい。